(57)【要約】【課題】  合成樹脂等を使用せずにロール状物の支持が行えるロール状物支持部材を提供する。【解決手段】  ロール状物１を包装容器２内に収容する際、ロール状物１の両端部を支持する支持部材本体３を、４辺がロール状物１の外径より大きい扁平な中空の箱形に形成された一対の支持箱４と、支持箱４の互いに対向する前面板４ａの中央部に突設され、かつロール状物１の中心部に設けられた中空軸１ａの両端部に嵌合自在なほぼ十字形の支持板５とからなり、支持箱４及び支持板５を段ボールにより形成したもので、段ボールのみにより支持部材本体１を形成できるため、支持軸や緩衝材に合成樹脂を使用していた従来のものに比べて廃棄処理にかかる費用の大幅な削減が図れる。【選択図】  図４
2006225018.tif 000002
【特許請求の範囲】
【請求項１】
ロール状物を包装容器内に収容する際、前記ロール状物の両端部を支持するロール状物支持部材であって、４辺が前記ロール状物の外径より大きい扁平な中空の箱形に形成された一対の支持箱と、前記支持箱の互いに対向する前面板の中央部に突設され、かつ前記ロール状物の中心部に設けられた中空軸の両端部に嵌合自在なほぼ十字形の支持板とからなり、前記支持箱及び前記支持板を段ボールにより形成したことを特徴とするロール状物支持部材。
【請求項２】
前記支持箱を、ほぼ正方形の前面板と、前記前面板の４辺に山折り線を介して連設された側板と、前記側板に山折り線を介して連設され、かつ前記前面板のほぼ半分の大きさの後面板とから形成すると共に、前記支持板を、前記前面板の上下方向に位置する後面板に山折り線を介して連設され、かつ前記前面板の中央に形成された十字孔より突出させることにより、前記支持板の一部を形成する横板と、前記横板とほぼ同形状に形成され、かつ前記十字孔より突出させることにより、前記支持板の一部を形成する縦板とから形成してなる請求項１に記載のロール状物支持部材。
【請求項３】
前記支持箱を形成する段ボールの段目方向が、前記前面板の上下方向となるよう前記段ボールを裁断してなる請求項１または２に記載のロール状物支持部材。
【発明の詳細な説明】
【技術分野】
【０００１】
本発明は、ロール状物を輸送したり、保管する際、ロール状物の両端部を支持するロール状物支持部材に関する。
【背景技術】
【０００２】
従来、合成樹脂フィルムや写真用印画紙、感光紙、印刷用紙等のシート状長尺物は、ロール状に巻かれた状態で製造されることが多い。
このため製造工場からロール状物を出荷したり、倉庫等に保管する場合、段ボール箱等の包装容器内に収容して、ロール状物が破損したり汚損されないように保護するが、包装容器内でロール状物が移動するのを防止し、もしくは包装容器を荷役する際、ロール状物１の端部が損傷されないように、ロール状物の両端部を支持部材により支持することが一般に行われている（例えば特許文献１）。
【０００３】
前記特許文献１に記載された「ロール状物の梱包輸送用通函」は、通函本体内にロール状物を収容する際、支持部材基板の中央部に設けた樹脂よりなる支持軸をロール状物の軸心に嵌挿して、軸心支持部材によりロール状物を支持した状態で、ロール状物を通函本体内に収容している。
またロール状物の両端部を保護するため、通函本体の両側壁と支持部材基板の間に、発泡ポリエチレンからなる緩衝部材本体を緩衝部材基板に固着した緩衝部材を介在させている。
【特許文献１】特開平１１−１７１１７０号公報
【発明の開示】
【発明が解決しようとする課題】
【０００４】
しかし前記特許文献１に記載された梱包輸送用通函に使用されている軸心支持部材は、合成樹脂により成形された支持軸が使用されているため、使用済後軸心支持部材を廃棄する場合、焼却処理することができない問題がある。
また軸心支持部材の支持部材基板は、それ自体弾力性に乏しいことから、ロール状物の両端を保護するのに、発泡ポリエチレンを緩衝材に使用した緩衝部材本体を併用しているが、発泡ポリエチレンも焼却処理すると、有害ガスが発生して環境汚染の原因となる問題がある。
特にこの種のロール状物支持部材は、使用済後多量に廃棄されることから、合成樹脂を支持軸や緩衝材に使用した場合、廃棄処理に多くの費用がかかる上、軸心支持部材と緩衝部材を別部材とした前記特許文献１に記載のものでは、部品点数も多くなるため製品コストも上がる等の問題もある。
【０００５】
本発明はかかる問題を改善するためになされたもので、合成樹脂等を使用せずにロール状物の支持が行えるロール状物支持部材を安価に提供することを目的とするものである。
【課題を解決するための手段】
【０００６】
本発明のロール状物支持部材は、ロール状物を包装容器内に収容する際、ロール状物の両端部を支持するロール状物支持部材であって、４辺がロール状物の外径より大きい扁平な中空の箱形に形成された一対の支持箱と、支持箱の互いに対向する前面板の中央部に突設され、かつロール状物の中心部に設けられた中空軸の両端部に嵌合自在なほぼ十字形の支持板とからなり、支持箱及び支持板を段ボールにより形成したものである。
【０００７】
前記構成により、段ボールのみにより支持部材本体を形成できるため、使用済後は再生することができ、これによって支持軸や緩衝材に合成樹脂を使用していた従来のものに比べて廃棄処理にかかる費用の大幅な削減が図れると共に、使用済後焼却処理しても有害ガスが発生する心配がないため、環境汚染の原因となることもない。
また支持部材本体の支持板がロール状物の中空軸両端を支持するため、包装容器内でロール状物が移動したり、ガタつくことがない上、偏平な箱状の支持箱が緩衝体となって、外部からの衝撃力を吸収緩和するため、輸送時や保管時の荷役中に包装箱に衝撃が加わっても、衝撃力によりロール状物が損傷されるのを未然に防止することができると共に、発泡ポリエチレン等からなる緩衝材を別に設ける必要がないため、部品点数の削減と、これに伴うコストの削減が図れるようになる。
【０００８】
本発明のロール状物支持部材は、支持箱を、ほぼ正方形の前面板と、前面板の４辺に山折り線を介して連設された側板と、側板に山折り線を介して連設され、かつ前面板のほぼ半分の大きさの後面板とから形成すると共に、支持板を、前面板の上下方向に位置する後面板に山折り線を介して連設され、かつ前面板の中央に形成された十字孔より突出させることにより、支持板の一部を形成する横板と、横板とほぼ同形状に形成され、かつ十字孔より突出させることにより、支持板の一部を形成する縦板とから形成したものである。
【０００９】
前記構成により、１枚の段ボールを裁断して組み立てるだけで、支持箱と支持板を形成することができるため、製作が容易な上、安価に提供することができる。
【００１０】
本発明のロール状物支持部材は、支持箱を形成する段ボールの段目方向が、前面板の上下方向となるよう段ボールを裁断したものである。
【００１１】
前記構成により、前面板の縦目方向にロール状物の荷重が加わるため、ロール状物が重量物であっても十分な耐久力が得られる。
【発明の効果】
【００１２】
本発明のロール状物支持部材によれば、段ボールのみにより支持部材本体を形成できるため、使用済後は再生することができ、これによって支持軸や緩衝材に合成樹脂を使用していた従来のものに比べて廃棄処理にかかる費用の大幅な削減が図れると共に、使用済後焼却処理しても有害ガスが発生する心配がないため、環境汚染の原因となることもない。
【発明を実施するための最良の形態】
【００１３】
本発明の実施の形態を、図面を参照して詳述する。
図１は包装容器及びロール状物支持部材の斜視図、図２は包装容器内にロール状物１を収容した状態の断面図、図３は一対のロール状物支持部材の展開図、図４は１個のロール状物支持部材の展開図、図５ないし図１０は、ロール状物支持部材の組み立て過程を示す説明図である。
【００１４】
ロール状に巻かれた状態で製造された樹脂フィルムや、写真用ＥＰ画紙、感光紙、印刷用紙等のロール状物１は、中心部に中空な紙管よりなる中空軸１ａが設けられていて、この中空軸１ａに樹脂フィルム等が巻かれており、ロール状物１を梱包する包装容器２は、図１に示すように、ロール状物１の長さより長い長方体状の角箱より形成されている。
包装容器２は上面が開口していて、この開口部２ａよりロール状物１が収容できるようになっていて、開口部２ａは、長辺部と短辺部の上縁に連設された４枚の蓋体２ｂにより閉鎖できるようになっており、梱包容器２全体は、段ボールや厚紙により形成されている。
包装容器２内にロール状物１を収容する際、ロール状物１の両端を支持するロール状物支持部材の本体（以下支持部材本体という）３は、図１及び図２に示すように、包装容器２の両端側内面に沿って収容可能な一対の支持箱４と、これら支持箱４の対向面に突設された十字状の支持板５とからなり、全体が１枚の段ボールを裁断することにより形成されている。
【００１５】
図３が左右一対の支持部材本体３の展開図を示すもので、２点鎖線Ａで示す部分より分断することにより、１個の支持部材本体３となり、さらに２点鎖線Ｂで分断することにより、支持箱４と支持板５となる。
なお左右一対の支持部材本体３は、同一形状なので、以下一方の支持部材本体３についてその形状を説明する。
一方の支持部材本体３は、偏平な正方形の支持箱４と、支持箱４の中心部に突設された支持板５とからなり、十字状の支持板５がロール状物１の中空軸１ａを両端側から支持し、支持箱４は、ロール状物１の荷重の支持と、ロール状物１の両端部を保護する緩衝材として機能する。
【００１６】
支持箱４と支持板５は、図４に示すように３部材からなり、支持箱４の一部に支持板５の一部である横板５ａが連設された状態にある。
支持箱４は、ロール状物１の端面が当接するほぼ正方形の前面板４ａを有しており、前面板４ａの中心部に、支持板５が突出する十字孔４ｊが形成されている。
前面板４ａの周辺には、山折り線４ｂを介して側板４ｃが連設され、各側板４ｃには山折り線４ｂを介して後面板４ｅが連設されている。
後面板４ｅは、前面板４ａを２分割した大きさとなっていて、左右方向に位置する後面板４ｅの端部中央には、ほぼ凸形の切り欠き４ｆが形成されており、切り欠き４ｆを挟んで対向する位置に、山折り線４ｇを介して長方形状の舌片４ｈが連設されている。
前面板４ａの上下方向に位置する後面板４ｅの端部には、支持板５の一部を形成する横板５ａの一端が山折り線４ｉを介して連設されている。
【００１７】
横板５ａは、中央部分に幅狭な間隔で一対の山折り線５ｂが横方向に形成されたほぼ長方形状となっていて、山折り線５ｂの両端部がくびれており、横板５ａの両端部中央には、縦方向に細長い長孔５ｃが形成されていると共に、後面板４ｅに連設された端部側の長孔５ｃは、後面板４ｅに達した部分の先端に支持板５の板厚のほぼ２倍の幅の切り欠き５ｄが形成されており、段ボールより形成された支持箱４の段目方向Ｃは、図４に示すように前面板４ａの上下方向と一致するようになっている。
支持板５の縦板５ｅは、図４に示すように谷折り線５ｊを挟んで対称形状の２部材からなり、支持板５に連設された横板５ａとほぼ同一形状となっていて、中央部に幅狭な間隔で一対の山折り線５ｆが横方向に形成されており、これら山折り線５ｆを直交するよう縦長な長孔５ｇが形成されている。
山折り線５ｆの両端側はくびれていると共に、各縦板５ｅの一端側両側部には、支持箱４の上下後面板４ｅに形成された切り欠き５ｄに嵌合する突片５ｈが突設されている。
【００１８】
次に前記構成された支持部材本体３の組み立て方法及び使用方法を説明する。
左右一対の支持部材本体３は、図３に示すように１枚の段ボールを裁断することにより製作され、２点鎖線Ａより分断することにより左右支持部材本体３に分割し、さらに２点鎖線Ｂより分断することにより、支持箱４と支持板５の一部を分断し、図４に示す状態にする。
次に支持箱４を形成する前面板４ａの左右に連設された後面板４ｅを山折り線４ｂ、４ｄから山折りし、同時に山折り線４ｇから舌片４ｈを山折りして、前面板４ａの後面側に後面板４ｅを折り畳んで、図５に示す状態にする。
次に前面板４ａの上下に位置する後面板４ｅに連設された支持板５の横板５ａを山折り線５ｂから山折りして、図６に示すように横板５ａを重ねたら、前面板４ａの上下に位置する後面板４ｅを、山折り線４ｂ、４ｄから山折りし、さらに横板５ａを後面板４ｅの切り欠き４ｆに挿入して図７に示す状態にする。
図８は図７の状態に組み立てた支持箱４を前面板４ａ側から見た状態を示すもので、前面板４ａと側板４ｃ及び後面板４ｅにより偏平な箱形に支持箱４が組み立てられ、前面板４ａに形成された十字孔４ｊの横孔から支持板５の横板５ａが突出された状態となる。
【００１９】
次に支持箱４より分断した支持板５の縦板５ｅを山折り線５ｆより山折りして図９に示す状態にしたら、さらに両縦板５ｅを谷折り線５ｊより谷折りして、図１０に示すように重ね合わせた状態で、縦板５ｅの先端を後面板４ｅ側から長孔５ｃに嵌挿して、縦板５ｅの突片５ｈを長孔５ｃに連続する切り欠き５ｄに嵌合するもので、切り欠き５ｄは、予め縦板５ｅの板厚のほぼ２倍となっているので、切り欠き５ｄ内に突片５ｈを隙間なく嵌合することができるようになる。
【００２０】
以上のようにして組み立てられた支持部材本体３は、図１に示すように支持箱４の前面板４ａより十字状の支持板５が突出されたものとなり、支持板５の縦横幅を予めロール状物１の中心部に設けられた中空軸１ａの内径より僅かに小さくすることにより、支持板５を中空軸１ａの両端部に隙間なく嵌合することができる。
ロール状物１の両端を支持部材本体１により支持したら、包装容器２の開口部２ａよりロール状物１ごと支持部材本体１を収容する。
図２はロール状物１を包装容器２内に収容した状態を示すもので、支持部材本体１の支持板５がロール状物１の中空軸１ａ両端を支持するため、包装容器２内でロール状物１が移動したり、ガタつくことがないと共に、偏平な箱状の支持箱４が緩衝体となって、外部からの衝撃力を吸収緩和するため、輸送時や保管時の荷役中に包装箱２に衝撃が加わっても、衝撃力によりロール状物１が損傷されるのを未然に防止することができる。
【００２１】
またロール状物１を包装容器２内に収容する際、段ボールにより形成された前面板４ａの段目方向Ｃを上下方向、すなわち上下方向に縦目となるように支持部材本体３を収容することにより、前面板４ａの縦目方向にロール状物１の荷重が加わるため、ロール状物１が重量物であっても十分な耐久力が得られるようになる。
【図面の簡単な説明】
【００２２】
【図１】本発明の実施の形態になるロール状物支持部材と包装容器の斜視図である。
【図２】本発明の実施の形態になるロール状物支持部材とロール状物を包装容器内に収容した状態の断面図である。
【図３】本発明の実施の形態になるロール状物支持部材の展開図である。
【図４】本発明の実施の形態になるロール状物支持部材を切り離した状態の展開図である。
【図５】本発明の実施の形態になるロール状物支持部材の組み立て過程を示す説明図である。
【図６】本発明の実施の形態になるロール状物支持部材の組み立て過程を示す説明図である。
【図７】本発明の実施の形態になるロール状物支持部材の組み立て過程を示す説明図である。
【図８】本発明の実施の形態になるロール状物支持部材の組み立て過程を示す説明図である。
【図９】本発明の実施の形態になるロール状物支持部材の組み立て過程を示す説明図である。
【図１０】本発明の実施の形態になるロール状物支持部材の組み立て過程を示す説明図である。
【符号の説明】
【００２３】
１    ロール状物
２    包装容器
３    支持部材本体
４    支持箱
４ａ    前面板
４ｂ    山折り線
４ｃ    側板
４ｄ    山折り線
４ｅ    後面板
４ｉ    山折り線
４ｊ    十字孔
５    支持板
５ａ    横板
５ｅ    縦板
Ｃ    段目
【図１】
2006225018.tif 000003
【図２】
2006225018.tif 000004
【図３】
2006225018.tif 000005
【図４】
2006225018.tif 000006
【図５】
2006225018.tif 000007
【図６】
2006225018.tif 000008
【図７】
2006225018.tif 000009
【図８】
2006225018.tif 000010
【図９】
2006225018.tif 000011
【図１０】
2006225018.tif 000012